(57)【特許請求の範囲】
【請求項１】
光源から出射された光束を制御する光制御出射面と、
前記光制御出射面の反対側に位置する底面と、
前記底面側に延出するボスと、
前記ボスの基端部の周囲に形成され、前記基端部を前記底面の少なくとも一部を含む基準水平面よりも内側に収容する環状凹部と、を備え、
前記環状凹部の内周面には、平面視において、前記光制御出射面の中心軸に向かって凹部が広がるように肉抜きされた尖形凹部構造が形成され、前記尖形凹部構造には、前記光源から出射される光束の一部を全反射する反射面が形成されることを特徴とする光束制御部材。
【請求項２】
平面視において前記中心軸から前記ボスの外周面に接するように二本の接線を引いたとき、前記反射面は、少なくとも前記二本の接線の間に形成されることを特徴とする請求項１に記載の光束制御部材。
【請求項３】
前記尖形凹部構造は、平面視において、前記中心軸と前記ボスの中心とを結ぶ基準線を引くとき、前記基準線に対して線対称となるように形成されることを特徴とする請求項１又は２に記載の光束制御部材。
【請求項４】
前記反射面は、前記底面に対して垂直な平面を含むように形成されることを特徴とする請求項１乃至３の何れか１項に記載の光束制御部材。
【請求項５】
前記反射面は、前記底面に対して傾斜している平面を含むように形成されることを特徴とする請求項１乃至４の何れか１項に記載の光束制御部材。
【請求項６】
前記反射面は、曲面を含むように形成されることを特徴とする請求項１乃至５の何れか１項に記載の光束制御部材。
【請求項７】
前記光束制御部材は、耐熱性の高い材料によって形成されることを特徴とする請求項１乃至６の何れか１項に記載の光束制御部材。
【請求項８】
請求項１乃至７の何れか１項に記載の光束制御部材と、光源と、を備えることを特徴とする発光装置。
【請求項９】
前記光源はＬＥＤ発光素子であり、前記ＬＥＤ発光素子の表面に前記光束制御部材が実装されることを特徴とする請求項８に記載の発光装置。
【請求項１０】
前記ＬＥＤ発光素子は、前記光束制御部材の前記ボスを嵌合するボス孔を有し、
前記光束制御部材のボスは、接着剤を用いて前記ボス孔に固定されることを特徴とする請求項９に記載の発光装置。
【請求項１１】
請求項８乃至１０の何れか１項に記載の発光装置と、
前記発光装置からの光を拡散及び透過する光拡散部材と、を備えることを特徴とする光源装置。
【請求項１２】
請求項１１に記載の光源装置と、
前記光源装置からの光が照射される被照明部材と、を備えたことを特徴とする表示装置。
【発明の詳細な説明】
【技術分野】
【０００１】
本発明は、発光素子から出射された光の配光を制御する光束制御部材に関する。また、本発明は、かかる光束制御部材を有する発光装置、かかる発光装置を有する光源装置及びかかる光源装置を利用する表示装置に関する。
【背景技術】
【０００２】
液晶表示装置などの透過型画像表示装置では、バックライトとして直下型の面光源装置を使用することがある。近年、光源として複数の発光素子を有する、直下型の面光源装置が使用されるようになってきている。
【０００３】
例えば、直下型の面光源装置は、基板、複数の発光素子、複数の光束制御部材（拡散レンズ）及び光拡散部材（拡散板）を有する。複数の発光素子は、基板上にマトリックス状に配置される。各発光素子の上には、各発光素子から出射された光を基板の面方向に拡げる光束制御部材が配置されている。光束制御部材から出射された光は、光拡散部材により拡散され、被照射部材（例えば、液晶パネル）を面状に照らす。
【０００４】
光束制御部材を基板上に位置決めする場合、光束制御部材の底部に位置決め用のボス（凸部）を形成し、このボスを基板に形成された孔又は凹部に嵌め込むことがある。
【０００５】
そして、一般的な位置決め方法では、例えば、図１（Ａ）に示されるように、光束制御部材１０の当接面１２から突出した円柱形状のボス１４を、当接面１２が基板２０に当接するように基板２０の円柱形状の貫通孔２２に嵌め込むことで、光束制御部材１０を基板２０上に位置決めしていた。この後、ボス１４の基板裏面２４から突出した部分と基板２０とを溶着することで、光束制御部材１０を基板２０上に固定することもできる。光束制御部材１０が基板２０に嵌め込まれた状態で高温環境下に置かれた場合、光束制御部材１０と基板２０との線膨張係数の差によって光束制御部材１０の方が基板２０よりも膨張量が大きくなるため、ボス１４の基端部の角（図１（Ａ）において矢印で示す）には応力が集中してしまい、ボス１４が破損してしまうことがある。
【０００６】
このため、例えば、図１（Ｂ）に示されるように、ボス１４の基端部の角（図１（Ｂ）において矢印で示す）をＲ面とすることが考えられる。ボス１４の基端部の角をＲ面とすることで、応力の集中を防いで、ボス１４の破損を抑制することができる。しかしながら、ボス１４の基端部の角をＲ面とすると、光束制御部材１０の当接面１２と基板２０との間に隙間ができてしまい、基板２０に対して光束制御部材１０を適切に位置決めすることができない。
【０００７】
そこで、特許文献１に記載の光束制御部材では、図１（Ｃ）に示されるように、光束制御部材１０の裏面１４３（基板との当接面）において、ボス１４５の基端部を断面視でＲ形状に形成し、ボス１４５の基端部（ボス１４５と裏面１４３との接続部位）を囲むように環状凹部１４６（円環状の溝）を形成する構成を採用した。これにより、特許文献１に記載の光束制御部材１０は、ボス１４５に力が加わった場合であってもボス１４５の基端部に応力が集中することを防ぎつつ、ボス１４５の基端部の当接面を平面にすることができるので、基板との間に隙間を生じることなく、基板に対して光束制御部材１０を適切に位置決めすることができる。
【先行技術文献】
【特許文献】
【０００８】
【特許文献１】特開２０１３−２３９４１３
【発明の概要】
【発明が解決しようとする課題】
【０００９】
特許文献１に記載された光束制御部材１０（図１（Ｃ）参照）は、裏面１４３に環状凹部１４６を有するので、光源からの光が環状凹部１４６に入射するように光束制御部材１０を実装した場合、環状凹部１４６に起因して光の一部が吸収又は減衰し、光の利用効率が低下するおそれがあることが新たに見出された。例えば、光束制御部材１０と基板とを接着材を用いて接合した場合、基端部の周囲に形成された環状凹部１４６に接着材がはみ出し、はみ出した接着材が光束制御部材にとって異物となり、光源から放射された光束の一部が、はみ出した接着剤に吸収されてしまう。
【００１０】
一般的に、発光装置を基板上に構成する際は、ＬＥＤ発光素子などを含む各種電子部品を、はんだによるリフロー処理によって基板上に実装する。光束制御部材が一般的な材料（アクリルなど）で構成されている場合、光束制御部材は、はんだによる高温のリフロー処理に耐えられない。このため、通常は、高温のリフロー処理によって各種電子部品を基板に実装した後に、光束制御部材を基板に実装する必要がある。光束制御部材の実装方法として、比較的低温で光束制御部材の材料の一部を変形させる溶着処理を採用する場合、合計で２回の加熱を伴う処理が必要となる。光束制御部材の実装方法として、接着材で固定する場合は、前述したとおり、環状凹部に起因した光の利用効率低下の問題が生じる。
【００１１】
また、利便性を高めるために、光束制御部材を基板上ではなく、光束制御部材をより小型化、軽量化して、ＬＥＤ発光素子等の光源の表面に実装し、光源と光束制御部材とを組み合わせて一体のパッケージとした発光装置の開発が期待されている。このような光源の表面に光束制御部材が実装された発光装置を「表面実装型の発光装置」という。表面実装型の発光装置の光束制御部材として、特許文献１に記載の環状凹部を有する光束制御部材を小型のＬＥＤ発光素子の表面に直接実装しようとする場合、ＬＥＤ発光素子と環状凹部との距離が近くなること、及び光束制御部材における環状凹部の占める割合が大きくなることから、環状凹部に起因した光の利用効率低下の問題がさらに大きくなるおそれがある。
【００１２】
本発明は、かかる問題に鑑みてなされたものであり、かかる問題の少なくとも一つを解決することができる光束制御部材などを提供することを目的とする。具体的には、本発明は、光束制御部材の位置決め精度を維持しつつ、ボスの強度を向上させた光束制御部材であって、さらに、光の利用効率の低下を防止することができる光束制御部材を提供することを目的の一つとする。また、複数の加熱処理を伴わず、簡単に製造することができる表面実装型の発光装置を提供することを目的の一つとする。加えて、本発明は、かかる光束制御部材又は発光装置を有する光源装置及びかかる光源装置を有する表示装置を提供することも目的とする。
【課題を解決するための手段】
【００１３】
前述した課題を解決するため、本発明の光束制御部材は、光源から出射された光束を制御する光制御出射面と、前記光制御出射面の反対側に位置する底面と、前記底面側に延出するボスと、前記ボスの基端部の周囲に形成され、前記基端部を前記底面の少なくとも一部を含む基準水平面よりも内側に収容する環状凹部と、を備え、前記環状凹部の内周面には、平面視において、前記光制御出射面の中心軸に向かって凹部が広がるように肉抜きされた尖形凹部構造が形成され、前記尖形凹部構造には、前記光源から出射される光束の一部を全反射する反射面が形成されることを特徴とする。
【００１４】
さらに、上記光束制御部材において、平面視において前記中心軸から前記ボスの外周面に接するように二本の接線を引いたとき、前記反射面は、少なくとも前記二本の接線の間に形成されることが好ましい。
【００１５】
さらに、上記光束制御部材において、前記尖形凹部構造は、平面視において、前記中心軸と前記ボスの中心とを結ぶ基準線を引くとき、前記基準線に対して線対称となるように形成されることが好ましい。
【００１６】
さらに、上記光束制御部材において、前記反射面は、前記底面に対して垂直な平面を含むように形成されていてよく、前記底面に対して傾斜している平面を含むように形成されていてもよく、曲面を含むように形成されていてもよい。
【００１７】
さらに、上記光束制御部材において、前記光束制御部材は、耐熱性の高い材料によって形成されることが好ましい。
【００１８】
また、本発明の発光装置は、上記光束制御部材と、光源と、を備えることを特徴とする。さらに、上記発光装置において、前記光源はＬＥＤ発光素子であり、前記ＬＥＤ発光素子の表面に前記光束制御部材が実装されることが好ましく、前記ＬＥＤ発光素子は、前記光束制御部材の前記ボスを嵌合するボス孔を有し、前記光束制御部材のボスは、接着剤を用いて前記ボス孔に固定されてもよい。
【００１９】
また、本発明の光源装置は、上記発光装置と、前記発光装置からの光を拡散及び透過する光拡散部材と、を備えることを特徴とし、本発明の表示装置は、上記光源装置と、前記光源装置からの光が照射される被照明部材と、を備えたことを特徴とする。
【発明の効果】
【００２０】
本発明の光束制御部材は、底面側に延出する位置決め用のボスを有し、ボスの基端部を底面よりも内側に収容する環状凹部を形成しつつ、環状凹部の内周面に前記光源から出射される光束の一部を全反射する反射面を有する尖形凹部を形成したので、環状凹部内に入射する光束を低減することができ、環状凹部内の異物（例えば、接着剤など）によって光束の一部が吸収され、光の利用効率が低下するのを防ぐことができる。その他の効果については、発明を実施するための形態において述べる。
【図面の簡単な説明】
【００２１】
【図１】従来の光束制御部材の構成を説明するための図。
【図２】本発明の実施形態の面光源装置及び発光装置の一例を示す平面図
【図３】本発明の実施形態の面光源装置及び発光装置の一例を示す側面図
【図４】（Ａ）〜（Ｃ）は、各々、光束制御部材の一例を示す平面図、Ａ−Ａ線の側面断面図及び底面図である。
【図５】図４（Ｂ）のＢ部分の拡大断面図
【図６】尖形凹部構造及び反射面の一例を示す斜視図
【図７】尖形凹部構造における反射面の機能の一例を示す図
【図８】尖形凹部構造及び反射面の他の例を示す斜視図
【図９】（Ａ）〜（Ｃ）は、各々、光束制御部材の実施例を示す平面図、Ａ−Ａ線の側面断面図及び底面図である。
【発明を実施するための形態】
【００２２】
［本発明の概要］
本発明の光束制御部材は、底面側に延出する位置決め用のボスを有し、ボスの基端部を底面よりも内側に収容する環状凹部（溝）が形成され、環状凹部の内周面の一部には、光制御出射面の中心軸に向かって溝が拡幅するように肉抜きされた尖形凹部構造が形成され、尖形凹部構造には、光源から出射される光束の一部を全反射する反射面が形成される。かかる反射面により、本発明の光束制御部材は、環状凹部内に入射する光束を低減することができ、環状凹部内の異物（例えば、接着剤など）によって光束の一部が吸収され、光の利用効率が低下するのを防ぐことができる。また、本発明の光束制御部材は、ボスの基端部に応力が集中しないため、ボスの強度に優れており、ボスの基端部近傍の当接面を平面にすることができるため、基板などに対する光束制御部材の位置決め精度を維持することができる。
【００２３】
本発明の光束制御部材は、適当な光源と組み合わせて発光装置を構成することができる。光源は、特に限定されず、ＬＥＤ発光素子、電球、キセノンランプ、半導体レーザー、有機ＥＬ素子、超小型蛍光管などを採用することができる。光束制御部材と光源（例えば、ＬＥＤ発光素子）とを組み合わせると、各種の用途に利用可能な発光装置を構成することができる。光束制御部材は、ＬＥＤ発光素子等の光源が配置された電子回路基板などに実装することもできるし、ＬＥＤ発光素子等の光源の表面に直接実装することもできる。ＬＥＤ発光素子に直接実装する場合、小型（例えば、１０ｍｍ角以下）の表面実装型の発光装置を実現することができる。
【００２４】
また、本発明の発光装置を配置し、光束の出射面側に光拡散部材を設けると、各種の用途に利用可能な光源装置を構成することができる。複数の発光装置を相互に隣接するようにマトリクス状に配置した場合、液晶表示装置のバックライトなどに適する面光源装置を構成することができる。さらに、かかる面光源装置と、面光源装置からの光が受ける被照射部材（例えば、液晶パネル）とを組み合わせることで、表示装置を構成することができる。
【００２５】
以下、本発明の実施形態について図面を参照して説明する。以下の説明では、本発明の光束制御部材をＬＥＤ発光素子に直接実装した発光装置とかかる発光装置を使用した液晶表示装置のバックライトなどに適する面光源装置を構成する場合の例について説明する。ただし、本発明は、以下の例に限定されるものではない。本発明の光束制御部材は、電子回路基板に実装することもできるし、光源装置の筐体に取り付けることもできる。
【００２６】
［面光源装置及び発光装置の構成］
図２は、本発明の実施形態の面光源装置１００及び発光装置１２０の一例を示す平面図である。図３は、本発明の実施形態の光源装置１００及び発光装置１２０の一例を示す側面図である。図２及び図３に示されるように、面光源装置１００は、電子回路基板１１０、複数の発光装置１２０、及び光拡散部材１５０を有する。複数の発光装置１２０は、所定の配列及び間隔で電子回路基板１１０の上に配置される。各発光装置１２０は、それぞれＬＥＤ発光素子１３０及び光束制御部材１４０を有する。
【００２７】
電子回路基板１１０は、発光装置１２０が実装される平板であり、発光装置１２０の電極に接して電力を供給する機能を有する。
【００２８】
ＬＥＤ発光素子１３０は、面光源装置１００（及び発光装置１２０）の光源であり、発光ダイオード１３２とパッケージ基板１３４とを含む。発光ダイオード１３２は、ボンディングワイヤなどを介してパッケージ基板１３４に接続され、封止樹脂などによりパッケージ基板１３４に固定される。パッケージ基板１３４は、電子回路基板１１０から供給される電力を受けるための電極を含む。パッケージ基板１３４には、光束制御部材１４０のボス１４５を嵌合し、位置決めするための複数のボス孔１３５が形成される。ボス孔１３５の形状は、特に限定されないが、例えば略円柱状、角柱状、円錐状、角錐状等であり、ボス１４５の形状と相関していることが好ましい。ただし、ボス孔１３５の方がボス１４５よりも大きければ、ボス孔１３５は、必ずしもボス１４５と相似形である必要はない。ボス孔１３５はパッケージ基板１３４を貫通していてもよいし、途中までの溝であってもよい。
【００２９】
光束制御部材１４０は、ＬＥＤ発光素子１３０（発光ダイオード１３２）から出射された光の進行方向を制御する拡散レンズである。光束制御部材１４０は、後述する光制御出射面１４１の中心軸ＣＡがＬＥＤ発光素子１３０の光軸ＬＡに一致するように、ＬＥＤ発光素子１３０の上に配置される。光束制御部材１４０は、底面１４３側に位置決め用のボス１４５を有する。
【００３０】
光束制御部材１４０は、一体成形により形成される。光束制御部材１４０の材料は、所望の波長の光を通過させ得るものであれば特に限定されない。光束制御部材１４０の材料は、例えば、ポリメタクリル酸メチル（ＰＭＭＡ）、ポリカーボネート（ＰＣ）、エポキシ樹脂（ＥＰ）などの光透過性樹脂、シリコーン樹脂、ガラスなどを採用することができる。ただし、光束制御部材１４０をＬＥＤ発光素子１３０又は電子回路基板１１０に実装する観点からは、シリコーン樹脂、エポキシ樹脂、ガラスなどの耐熱性の高い材料を採用することが好ましい。光束制御部材１４０をＬＥＤ発光素子１３０に直接実装した場合には、耐熱性の低い材料の場合、ＬＥＤ発光素子１３０の発熱により変形、劣化する恐れがあり、発光量の大きいものに使用すると問題が生じる虞があった。また、光束制御部材１４０をＬＥＤ発光素子１３０又は電子回路基板１１０に実装する際に、耐熱性の高い材料を使用することにより、発光素子１３０を電子回路基板１１０に実装するリフロー処理の際に耐熱性の高い光束制御部材１４０も実装した状態でリフロー処理することが可能となる。光束制御部材１４０の具体的な構成については、別途詳細に説明する。
【００３１】
光拡散部材１５０は、光拡散性を有する部材であり、光束制御部材１４０からの出射光を拡散させつつ透過させる。光拡散部材１５０は、面光源装置１００を液晶パネルなどのバックライトとして使用する場合は、液晶パネルなどの被照射部材とほぼ同じ大きさの板状であるが、照明装置として使用する場合は、照明の目的に照らして必要とされる照度分布となるように適当な形状を有していてもよい。光拡散部材１５０は、例えば、ポリメタクリル酸メチル（ＰＭＭＡ）、ポリカーボネート（ＰＣ）、ポリスチレン（ＰＳ）、スチレン・メチルメタクリレート共重合樹脂（ＭＳ）などの光透過性樹脂により形成される。光拡散性を付与するため、光拡散部材１５０の表面に微細な凹凸を形成してもよいし、光拡散部材１５０の内部にビーズなどの光拡散子を分散させてもよい。
【００３２】
本発明の面光源装置１００では、各ＬＥＤ発光素子１３０から出射された光は、光束制御部材１４０により面方向に拡げられ、さらに光拡散部材１５０により拡散される。その結果、本発明の面光源装置１００は、面状の被照射部材（例えば、液晶パネル）を均一に照らすことができる。
【００３３】
［光束制御部材の構成］
図４は、本発明の実施形態の光束制御部材１４０の一例を示す図であり、図４（Ａ）（Ｂ）（Ｃ）は、各々、かかる光束制御部材１４０の平面図、Ａ−Ａ線の側面断面図及び底面図である。図５は、図４（Ｂ）において破線で示されるＢ部分の拡大断面図である。なお、図５では、位置決めの説明のため、ＬＥＤ発光素子１３０のパッケージ基板１３４も合わせて示している。
【００３４】
図４及び図５に示されるように、光束制御部材１４０は、光制御出射面１４１、底面１４３、複数のボス１４５及び複数の環状凹部１４６を有し、さらに、光制御入射面１４２及び鍔部１４４を有してもよい。なお、図４には、ＬＥＤ発光素子１３０を図示していないが、ＬＥＤ発光素子１３０は、その光軸ＬＡが光束制御部材１４０の光制御出射面１４１の中心軸ＣＡに一致するように配置される。
【００３５】
以下では、光束制御部材１４０の底面１４３の少なくとも一部を含む水平面を第１の基準水平面Ｓ１といい、第１の基準水平面Ｓ１に平行であって、光束制御部材１４０に形成された環状凹部１４６の上端（最深部）と交差する平面を第２の基準水平面Ｓ２という。また、本明細書では、第１の基準水平面Ｓ１と中心軸ＣＡ（光軸ＬＡ）との交点をＬＥＤ発光素子１３０の仮想的な発光中心Ｏ１として反射面を設計する。また、第１の基準水平面Ｓ１とボス中心軸ＢＡとの交点をボス中心Ｐ１とする。
【００３６】
光制御出射面１４１は、ＬＥＤ発光素子１３０から出射され、光束制御部材１４０の内部に入射した光の配光を制御する。光制御出射面１４１は、光源の配光分布や制御後の光の配向として要求される配光分布などに応じて適宜設計される。図３及び図４においては、光制御出射面１４１は、ＬＥＤ発光素子１３０から出射される光を光拡散部材１５０における中心軸ＣＡ（光軸ＬＡ）から離れた領域まで及ぶように配向可能に形成されており、中心軸ＣＡを軸とする回転対称面であり、鍔部１４４よりも上側に向けて突出し、中心軸ＣＡで若干窪んだ形状である。光制御入射面１４２は、光束制御部材１４０の中心軸ＣＡの周囲のＬＥＤ発光素子側に形成された凹形状の内周面によって構成され、ＬＥＤ発光素子１３０から出射される光の入射面として機能し、光制御出射面１４１と合わせて、ＬＥＤ発光素子１３０から出射される光の配光を制御してもよい。
【００３７】
底面１４３は、光制御出射面１４１の反対側（下側）に位置し、実装される部材（例えば、ＬＥＤ発光素子１３０のパッケージ基板１３４）の実装面と対向する面であり、光制御入射面１４２の縁部から径方向に延在し、その一部又は全部で実装面と当接する。例えば、図５に示すように、底面１４３を平面で構成し、底面全部をＬＥＤ発光素子１３０のパッケージ基板１３４と当接する当接面としてもよい。また、底面を曲面で構成したり、底面に段差を設けたりして、底面の一部（環状凹部の近傍）を実装面と当接する当接面とし、実装面と底面との間に隙間を設けてもよい。かかる隙間は光源の発熱を外部に逃がす機能を有する。
【００３８】
鍔部１４４は、光制御出射面１４１の外周部と底面１４３の外周部との間に位置し、径方向外側に突出する。鍔部１４４の形状は、平面視において略円環状である。鍔部１４４は、必ずしも必要ではないが、鍔部１４４を設けることで、光束制御部材１４０の取り扱い及び位置合わせが容易になる。鍔部１４４の厚みは、特に限定されず、光制御出射面１４１の必要面積や鍔部１４４の成形性などを考慮して決定される。
【００３９】
ボス１４５は、光束制御部材１４０を位置決め及び／又は固定するための凸部であり、環状凹部１４６の上面から底面側に突出するように形成されている。図４に示される例では、３つのボス１４５が、互いの中心間距離が一定となるように底面１４３に形成される。なお、ボス１４５の数、長さ及び配置は、光束制御部材１４０をパッケージ基板１３４上に適切に位置決めすることができれば特に限定されない。
【００４０】
ボス１４５の形状は、特に限定されず、例えば、略円柱状、角柱状、円錐状、角錐状等であり、パッケージ基板１３４に形成されるボス孔１３５などの形状に合わせて適宜選択されうる。ボス１４５及び環状凹部１４６の光源に対する影響を小さくするため、ボス１４５の形状を略板状とし、中心軸ＣＡに対して放射状となるように配置したり、ボス１４５の形状を鋭角三角形状とし、鋭角を中心軸ＣＡに向けて配置したり、ボス１４５の形状を長方形状とし、短辺を中心軸ＣＡに向けて配置してもよい。図４及び図５に示す光束制御部材１４０では、ボス１４５の形状は、ボス孔１３５の略円柱状の形状に合わせて、略円柱状である。この場合、ボス１４５の直径は、ボス孔１３５の直径よりもわずかに小さい。ボス１４５の外周面１４５ａは、ボス１４５がパッケージ基板１３４のボス孔１３５などに嵌め込まれたとき、ボス孔１３５の内周面などに当接する。ボス１４５は、環状凹部１４６との接続部位である基端部を含む。
【００４１】
ボス１４５の基端部は、一定の強度が確保された根元の部位であり、高温環境下での応力の集中を防いで破損を防止する機能を有する。また、光束制御部材１４０を成形によって得る場合にも、離型時にボス１４５の基端部に応力が集中するのを防いでちぎれ発生を防止することができる。基端部は、ボス１４５の径よりも大きい径を有し、底面１４３に形成された環状凹部１４６に収容され、側面視において、底面１４３（第１の基準水平面Ｓ１）よりも内側（上側）に設けられる。基端部の形状は、特に限定されないが、環状凹部１４６の上端に向けて張り出すようなＲ面を有することが好ましい。すなわち、基端部の外周面１４５ｂは、図５に示されるように、断面視において、弧状（例えば、円弧、楕円弧）となるように構成され、光束制御部材１４０が実装される部材への当接面よりも光制御出射面１４１側へ奥まって形成されることが好ましい。このように基端部の外周面１４５ｂをＲ面とすることで、ボス１４５に力が加わった場合であってもボス１４５の基端部に応力が集中することを防ぐことができる。ただし、外周面１４５ｂの形状は、これに特に限定されない。外周面１４５ｂは、断面視において、例えば、直線状であってもよいし、階段状であってもよい。
【００４２】
［光束制御部材の固定方法］
次いで、光束制御部材１４０をＬＥＤ発光素子１３０のパッケージ基板１３４に固定する方法を簡単に説明する（図５参照）。まず、ＬＥＤ発光素子１３０のパッケージ基板１３４に形成されたボス孔１３５に、適量の接着剤を注入する。次いで、光束制御部材１４０のボス１４５を、パッケージ基板１３４に形成されたボス孔１３５に篏合させると、光束制御部材１４０は、パッケージ基板１３４上の適切な位置に位置決めされる。このとき、光束制御部材１４０の底面１４３は、パッケージ基板１３４の表面と接触する。一定の時間経過後、接着材が固化すると、光束制御部材１４０は、ＬＥＤ発光素子１３０の表面に固定される。本発明の光束制御部材１４０をＬＥＤ発光素子１３０に直接実装した発光装置１２０は、表面実装型の発光装置（レンズ付きのＬＥＤデバイス）として利用されうる。
【００４３】
［尖形凹部構造の構成］
環状凹部１４６は、図４及び図５に示すように、ボス１４５の基端部を囲うように底面１４３に形成された溝であり、基端部を底面１４３（第１の基準水平面Ｓ１）よりも内側（上側）の環状凹部１４６内に収容する。環状凹部１４６の数は、ボス１４５の数と同じである。
【００４４】
環状凹部１４６は、平面視において、中心軸ＣＡ側に向かって凹部が広がるように肉抜きされた尖形凹部構造を有し、尖形凹部構造には、ＬＥＤ発光素子１３０からの出射光が凹部１４６内に到達するのを防ぐために凹部１４６の内表面で全反射するための反射面が形成される。かかる尖形凹部構造（環状凹部１４６の中心軸ＣＡ側の一部）は、第１の基準水平面Ｓ１において、中心軸ＣＡ（発光中心Ｏ１）とボス中心軸ＢＡ（ボス中心Ｐ１）とを結ぶ基準線Ｎを引くとき、基準線Ｎに対して線対称であることが好ましく、基準線Ｎと尖形凹部構造（凹部１４６の中心軸側の一部）との交点をＲ１とすると、ボス１４５周りの溝である環状凹部１４６の一部に溝幅が広がるように形成された尖形凹部構造は、交点Ｒ１に近づくほど溝幅が広がり、基準線Ｎ上でもっとも広くなり、平面視で交点Ｒ１に向かって尖形となるように形成されることが好ましい。
【００４５】
また、第２の基準水平面Ｓ２において、中心軸ＣＡとボス中心軸ＢＡとを結ぶ基準線と尖形凹部構造とが交差する場合、その交点をＲ２とする。ただし、尖形凹部構造の形状によっては、第２の基準水平面Ｓ２と尖形凹部構造の先端部とが交差せず、Ｒ２を特定できない場合もある（図８（Ｂ）（Ｄ）参照）。尖形凹部構造の高さ（環状凹部１４６の深さ）は、図５に示す例の場合、第１の基準水平面Ｓ１から第２の基準水平面Ｓ２までの距離ｄとなる。
【００４６】
図５に示す例では、尖形凹部構造（環状凹部１４６の中心軸側の一部）は、底面１４３に接続する内周面１４６ａ（側面）と、第２の基準水平面Ｓ２側に位置する別の内周面１４６ｂ（上面）とを含む。尖形凹部構造における内周面１４６ａは、発光中心Ｏ１から出射された光束の一部を全反射する反射面として機能する。
【００４７】
図６は、図５に示す尖形凹部構造及び反射面の一例を示す斜視図である。図６に示す尖形凹部構造（環状凹部１４６の中心軸側の一部）は、平面視でＲ１−Ｒ２側に突出した三角柱の形状となっており、環状凹部１４６内に形成された二つの内周面１４６ａが三角柱の二つの側面に対応する。二つの内周面１４６ａ（三角柱の二つの側面）は、第１の基準水平面Ｓ１（底面）に対して垂直な平面である。このため、第１の基準水平面Ｓ１における二つの内周面１４６ａがなす角θ１は、第２の基準水平面Ｓ２における二つの内周面１４６ａがなす角θ２と同一となり、θ１＝θ２となる。二つの内周面１４６ａは、発光中心からの光束の一部を側方に向けて全反射する反射面として機能する。
【００４８】
図７は、図５に示す尖形凹部構造（環状凹部１４６の中心軸側の一部）における反射面（内周面１４６ａ）の機能の一例を示す図であり、図５に示す光束制御部材１４０を、第１の基準水平面Ｓ１で切ったときの切断面を示し、光束が進行する軌跡を加えたものである。説明を簡単にするため、図７では、第１の基準水平面Ｓ１と中心軸ＣＡとの交点を仮想的な発光中心Ｏ１とし、仮想的な発光中心Ｏ１から出射された光線についてのみ記載した。図７に示すように、尖形凹部構造における反射面（内周面１４６ａ）は、第１の基準水平面Ｓ１における発光中心Ｏ１からの光束が出射されたと仮定するとき、かかる発光中心Ｏ１からの光束の少なくとも一部を全反射させるように構成される。発光中心Ｏ１から出射された光束の一部は、反射面で全反射され、外縁側へ向かう。これにより、環状凹部１４６に入射する光束が少なくなるので、環状凹部１４６内の異物（例えば、接着材）によって光束の一部が吸収され、光の利用効率が低下するおそれが少なくなくなる。
【００４９】
尖形凹部構造の反射面は、第１の基準水平面Ｓ１における発光中心Ｏ１から第１の基準水平面Ｓ１上でボス１４５の外周面１４５ａに接するように二本の接線Ｍ、Ｍ´を引いたとき、少なくとも二本の接線Ｍ、Ｍ´の間に形成される。さらに反射面は、接線Ｍ、Ｍ´を越えて延びていてもよく、図７には示していないが、発光中心Ｏ１から第１の基準水平面Ｓ１上で凹部１４６の外縁に接するように引かれた接線まで反射面が形成されていてもよい。
【００５０】
第１の基準水平面Ｓ１における反射面（内周面１４６ａ）がなす角θ１は、第１の基準水平面Ｓ１における二本の接線Ｍ、Ｍ´がなす角をφ１とするとき、θ１＞φ１と設定することが好ましい。また、尖形凹部構造の先端については、発光中心Ｏ１と直交することから、発光中心Ｏ１からの光が通過する特異点となるため、できるだけ先端は細い方がよい。この点、後述する図８（Ａ）、（Ｂ）、（Ｄ）のように、尖形凹部構造の先端を細くし、高さ方向に傾かせることで、環状凹部１４６の上面にも反射面を形成し環状凹部１４６に入射する光を減らすことができるので好ましい。本発明においては、上記のとおり、少なくとも第１の基準水平面Ｓ１を伝搬する光束の一部について反射面によって全反射するように構成されていれば環状凹部に入射する光を減らす効果はあるが、さらに、反射面の設計に際しては、光源の発光特性、種類、位置、配置等に応じて、側方への光束の拡がりだけでなく、上下方向への光束の拡がりも考慮することが好ましい。
【００５１】
図４乃至図７では、環状凹部１４６の中心軸側の一部を三角柱状の尖形凹部構造として構成し、三角柱の二つの側面を反射面として構成したが、本発明の光束制御部材は、これに限定されない。光束制御部材の態様（目的、用途、材料など）、又は光束制御部材と光源との位置関係などに応じて、尖形凹部構造及び反射面は、種々の形状、大きさを採用することができる。
【００５２】
図８は、尖形凹部構造及び反射面の他の例を示す斜視図である。図８（Ａ）に示す尖形凹部構造（環状凹部１４６の中心軸側の一部）は、平面視でＲ１−Ｒ２側に尖形凹部を有する三角錐台の形状となっており、環状凹部１４６の二つの内周面１４６ａは、三角錐台の二つの側面に対応するものとなっている。二つの内周面１４６ａ（三角錐台の二つの側面）は、基準水平面に対して斜めに傾斜しており、平面である。二つの内周面１４６ａは、発光中心からの光束の一部を側方に向けて反射するとともに、上方に向けて反射する反射面として機能する。
【００５３】
図８（Ｂ）に示す尖形凹部構造は、平面視でＲ１側に尖形凹部を有する四角錐の形状となっており、環状凹部１４６の二つの内周面１４６ａと他の一つの内周面１４６ｂは、四角錐の側面に対応するものとなっている。二つの内周面１４６ａ（四角錐の二つの側面）は、基準水平面に対して垂直であり、平面である。他の一つの内周面１４６ｂ（凹部１４６の上面）は、基準水平面に対して斜めに傾斜しており、平面である。二つの内周面１４６ａは、発光中心からの光束の一部を側方に向けて反射する反射面として機能し、他の一つの内周面１４６ｂは、発光中心からの光束の一部を上方に向けて反射する反射面として機能する。
【００５４】
図８（Ｃ）に示す尖形凹部構造は、平面視でＲ１−Ｒ２側に尖形凹部を有する変形した三角柱となっており、環状凹部１４６の二つの内周面１４６ａは、変形した三角柱の側面に対応するものとなっている。二つの内周面１４６ａは、基準水平面に対して垂直であるが、湾曲した曲面である。二つの内周面１４６ａは、発光中心からの光束の一部を側方に向けて反射する反射面として機能する。
【００５５】
図８（Ｄ）に示す尖形凹部構造は、平面視でＲ１側に尖形凹部を有する半円錐の形状となっており、環状凹部１４６の一つの内周面１４６ａは、半円錐の側面に対応するものとなっている。一つの内周面１４６ａは、発光中心からの光束の一部を側方に向けて反射するとともに、上方に向けて反射する反射面として機能する。
【００５６】
なお、図６、図８（Ａ）〜（Ｄ）に示した尖形凹部構造は単なる例示であって、これに限定されない。例えば、図６に示す尖形凹部構造と図８（Ａ）も示す尖形凹部構造とを組み合わせてもよいし、図８（Ａ）に示すと尖形凹部構造と図８（Ｂ）に示す尖形凹部構造とを組み合わせてもよい。また、図６、図８（Ａ）又は図８（Ｂ）に示す尖形凹部構造と図８（Ｄ）に示す尖形凹部構造とを組み合わせてもよい。図６、図８（Ａ）又は図８（Ｃ）に示す尖形凹部構造において、辺Ｒ１Ｒ２の距離が高さｄよりも小さくなるように尖形凹部構造を変形させてもよく、その他、種々の適当な立体構造との組み合わせ、変形などが可能である。
【００５７】
［光束制御部材の他の固定方法］
図３乃至図５では、接着剤を介して、ＬＥＤ発光素子１３０の表面に光束制御部材１４０を直接固定する例を説明したが、本発明の光束制御部材は、これに限定されない。本発明の光束制御部材は、接着剤を介して、電子回路基板の表面に固定されてもよい。また、本発明の光束制御部材は、溶着によって、ＬＥＤ発光素子又は電子回路基板に固定されてもよい。この場合、ＬＥＤ発光素子又は電子回路基板に、光束制御部材のボスを嵌合したときにボスの頭部が突き抜けるような貫通孔を設ければよい。そして、光束制御部材のボスとＬＥＤ発光素子又は電子回路基板の貫通孔とを嵌合させて位置合わせした後、ＬＥＤ発光素子又は電子回路基板の裏面から突出しているボスの部分とＬＥＤ発光素子又は電子回路基板とを溶着して、光束制御部材をＬＥＤ発光素子又は電子回路基板上の所定の位置に固定することができる。このように実装された光束制御部材は、高温環境下においてボスに応力が加わるが、ボスの接続部がＲ面となっているため、ボスの基端部に応力が集中せず、ボスは破損しない。
【００５８】
また、本発明の光束制御部材は、耐熱性の高い材料（例えば、シリコーン樹脂、ガラスなど）を採用することが好ましい。耐熱性の低い材料を採用した場合では、光束制御部材がＬＥＤ発光素子のリフロー処理に耐えられないため、１回目のリフロー処理においてＬＥＤ発光素子を電子回路基板に固定した後に、電子回路基板の貫通孔に光束制御部材のボスを嵌め込み、光束制御部材が電子回路基板上の適切な位置に位置決めし、２回目の溶着処理において基板の裏面側に突出したボスの一部を溶着することによって、光束制御部材を電子回路基板上に固定する方法がとられる。この点、光束制御部材に耐熱性の高い材料を採用すれば、電子回路基板とＬＥＤ発光素子とを実装するためのリフロー処理の前に、電子回路基板と光束制御部材とを位置決めしておき、ＬＥＤ発光素子を電子回路基板に固定するリフロー処理において、基板の裏面側に突出したボスの一部を溶着し、一度のリフロー処理によって電子回路基板にＬＥＤ発光素子及び光束制御部材を実装することができる。
【００５９】
また、ＬＥＤ発光素子と光束制御部材とが一体となった表面実装型の発光装置を電子回路基板に実装する場合でも、ＬＥＤ発光素子が光束制御部材に載置された状態の発光装置を高温のリフロー処理によって電子回路基板に実装することができる。
【００６０】
ただし、表面実装型の発光装置を電子回路基板に実装する場合、耐熱性のそれほど高くない光束制御部材であっても、従来どおり、リフロー処理によってＬＥＤ発光素子を電子回路基板に実装した後に、光束制御部材をＬＥＤ発光素子に接着剤で実装することもでき、本発明の発光装置又は面光源装置は、耐熱性の高い光束制御部材に限定されるものではない。
【００６１】
［光束制御部材の実施例］
図９（Ａ）は光束制御部材の実施例を示す平面図、図９（Ｂ）はＡ−Ａ線の側面断面図及び図９（Ｃ）は底面図である。本実施例の光束制御部材１４０は、図９（Ａ）（Ｂ）に示すように、全高さが２．３９ｍｍ（ボス１４５を含む）、直径が７．８０ｍｍ（鍔部１４４を含む）である。光制御入射面１４２の開口部の直径は、約２ｍｍであり、開口縁がＲ面取りされている。光制御入射面１４２の第１の基準水平面Ｓ１からの高さ（凹形状の深さ）は開口部半径よりも深くなるように形成されている。ボス１４５において第１の基準水平面Ｓ１から下方に延出する部分の長さは０．３８ｍｍであり、環状凹部１４６の深さは０．２０ｍｍである。
【００６２】
図９（Ｃ）に示すように、光束制御部材１４０の底面１４３において、３個のボス１４５及び環状凹部１４６が発光中心Ｏ１を基準として１２０°間隔で放射状に配置されている。また、これら３個のボス１４５のボス中心Ｐ１は、平面視において、発光中心Ｏ１を中心とする半径５．００ｍｍの仮想円上に位置するとともに、ボス１４５の基端部は、発光中心Ｏ１を中心とする半径３．６０ｍｍの仮想円に外接するように位置している。また、ボス１４５の直径は、１．００ｍｍであり、基端部の最大の直径は、１．４０ｍｍである。環状凹部１４６の径方向の長さ（基準線Ｎに沿った中心軸側の先端部から外縁側の端部までの長さ）は、２．００ｍｍである。環状凹部１４６の内周面１４６ａ（すなわち、反射面）のなす角θ１は、１０１．５°である。
【００６３】
このように形成された光束制御部材１４０は、図７に示すように、組み合わせたＬＥＤ発光素子からの出射光のうち光制御入射面１４２を経て尖形凹部構造に到達した光を環状凹部外へ向かわせることができ、ボス１４５をＬＥＤ発光素子１３０のパッケージ基板１３４またはＬＥＤ発光素子１３０が実装された回路基板に固定するために用いた接着剤に光が吸収されるのを防ぐことができる。
【符号の説明】
【００６４】
１００  光源装置
１１０  電子回路基板
１２０  発光装置
１３０  光源（ＬＥＤ発光素子）
１３２  発光ダイオード
１３４  パッケージ基板
１３５  ボス孔
１４０  光束制御部材
１４１  光制御出射面
１４２  光制御入射面
１４３  底面
１４４  鍔部
１４５  ボス
１４５ａ、１４５ｂ  ボスの外周面
１４６  環状凹部
１４６ａ、１４６ｂ  環状凹部の内周面
１５０  光拡散部材
【図１】
0006619669.tif 000002
【図２】
0006619669.tif 000003
【図３】
0006619669.tif 000004
【図４】
0006619669.tif 000005
【図５】
0006619669.tif 000006
【図６】
0006619669.tif 000007
【図７】
0006619669.tif 000008
【図８】
0006619669.tif 000009
【図９】
0006619669.tif 000010